(57)【要約】本発明の実施形態は、一般に、入力装置内部に含まれるセンサ電極を駆動するのに必要な消費電力を低減させることが可能な方法及びシステムを提供する。入力装置の電力消費は、ドライバモジュールがセンサ電極を第２の電位までの残りの量だけ駆動する前に、センサ電極を部分的に駆動する中間の電子蓄積装置を設けることによって低減される。【選択図】図４
2015515681.tif 000002
【特許請求の範囲】
【請求項１】
入力装置の処理システムであって、
第１の電位と第２の電位との間で駆動されたときに第１の送信器信号を発するように構成された第１の送信器電極に結合された、ドライバ回路を備えるドライバモジュールであって、前記第１の送信器電極を中間電位から前記第２の電位に駆動するように構成され、前記中間電位が前記第１の電位と前記第２の電位との間にあり、前記第１の送信器電極が、前記第１の送信器電極を前記中間電位に駆動するように構成された電子蓄積装置にさらに結合される、ドライバモジュールと、
受信器電極に結合され、前記受信器電極を用いて、結果として生じた信号を受信するように構成された受信器モジュールであって、前記結果として生じた信号が前記第１の送信器信号に対応する影響を含む、受信器モジュールと、
前記結果として生じた信号に基づいて前記入力装置の感知領域における入力物体の位置情報を求めるように構成された決定モジュールと
を備える、処理システム。
【請求項２】
前記ドライバモジュール及び前記電子蓄積装置を前記第１の送信器電極に選択的に結合するように構成される、請求項１に記載の処理システム。
【請求項３】
前記中間電圧が実質的にシステムグランド電圧である、請求項１に記載の処理システム。
【請求項４】
前記電子蓄積装置がコンデンサを備える、請求項１に記載の処理システム。
【請求項５】
前記コンデンサが、第２の送信器電極に選択的に結合されるように構成され、前記第２の送信器電極が、前記第１の電位と前記第２の電位との間で駆動されたときに第２の送信器信号を発するように構成され、前記受信器モジュールが前記受信器電極を用いて、前記第２の送信器信号の影響を含む結果として生じた第２の信号を受信するようにさらに構成され、前記決定モジュールが、前記結果として生じた第２の信号に基づいて前記入力装置の前記感知領域における前記入力物体の位置情報を求めるようにさらに構成される、請求項４に記載の処理システム。
【請求項６】
前記コンデンサが、前記第１の送信器電極を前記第１の電圧から前記中間電圧に駆動するように構成され、前記第２の送信器電極を前記第２の電圧から前記中間電圧に駆動するように構成される、請求項５に記載の処理システム。
【請求項７】
前記電子蓄積装置が、第２の送信器信号を発するように構成される第２の送信器電極を備え、前記第１の送信器電極を前記中間電位に駆動することが、前記第１の送信器電極を前記第２の送信器電極と結合することを含む、請求項１に記載の処理システム。
【請求項８】
前記電子蓄積装置が、前記第１の送信器電極を前記第１の電圧から前記中間電圧に駆動するように構成され、前記中間電圧が前記第１の電圧よりも高い、請求項１に記載の処理システム。
【請求項９】
前記電子蓄積装置が、前記第１の送信器電極を前記第２の電圧から前記中間電圧に駆動するように構成され、前記中間電圧が前記第２の電圧よりも低い、請求項１に記載の処理システム。
【請求項１０】
入力装置であって、
第１の電位と第２の電位との間で駆動されたときに第１の送信器信号を発するように構成された第１の送信器電極を備える複数の送信器電極と、
第１の受信器電極を備える複数の受信器電極と、
前記第１の送信器電極に結合され、前記第１の送信器電極を前記第１の電位と第２の電位との間にある中間電位に駆動するように構成された電子蓄積装置と、
前記中間電位と前記第２の電位との間で前記第１の送信器電極を駆動し、前記第１の受信器電極を用いて、前記第１の送信器電極信号に対応する影響を含む、結果として生じた信号を受信し、前記結果として生じた信号に基づいて前記入力装置の感知領域における入力物体の位置情報を求めるように構成された、前記第１の送信器電極及び前記第１の受信器電極に結合された処理システムと
を備える、入力装置。
【請求項１１】
前記電子蓄積装置を前記第１の送信器電極に結合する第１の状態、及びドライバモジュールを前記第１の送信器電極に結合する第２の状態を有するスイッチングメカニズムをさらに備える、請求項１０に記載の入力装置。
【請求項１２】
前記電子蓄積装置がコンデンサを備える、請求項１０に記載の入力装置。
【請求項１３】
前記コンデンサが、第２の送信器電極に選択的に結合されるように構成され、前記第２の送信器電極が、前記第１の電位と前記第２の電位との間で駆動されたときに第２の送信器信号を発するように構成され、受信器モジュールが、前記第１の受信器電極を用いて、前記第２の送信器信号の影響を含む結果として生じた第２の信号を受信するようにさらに構成され、決定モジュールが、前記結果として生じた第２の信号に基づいて前記入力装置の前記感知領域における前記入力物体の位置情報を求めるようにさらに構成される、請求項１２に記載の入力装置。
【請求項１４】
前記コンデンサが、前記第１の送信器電極を前記第１の電圧から前記中間電圧に駆動するように構成され、前記第２の送信器電極を前記第２の電圧から前記中間電圧に駆動するように構成される、請求項１３に記載の入力装置。
【請求項１５】
前記電子蓄積装置が、第２の送信器信号を発するように構成される第２の送信器電極を備え、前記第１の送信器電極を前記中間電位に駆動することが、前記第１の送信器電極を前記第２の送信器電極と結合することを含む、請求項１０に記載の入力装置。
【請求項１６】
前記第１の送信器電極を前記第１の電位と第２の電位との間にある中間電位に駆動することが、前記第１の送信器電極を前記第１の電位から第１の電位よりも高い前記中間電位に駆動することであって、前記電子蓄積装置が、第２の送信器電極を前記第２の電位から前記第２の電位よりも低い前記中間電位に駆動するようにさらに構成される、請求項１０に記載の入力装置。
【請求項１７】
前記第１の送信器電極を前記第１の電位と第２の電位との間にある中間電位に駆動することが、
前記第１の送信器電極を、前記電子蓄積装置が第１のモードで動作している場合は、前記第１の電位から前記第１の電圧よりも高い前記中間電位に駆動することと、
前記第１の送信器電極を、前記電子蓄積装置が第２のモードで動作している場合は、前記第２の電圧から前記第２の電位よりも低い前記中間電圧に駆動することと
を含む、請求項１０に記載の入力装置。
【請求項１８】
入力装置を動作させる方法であって、
第１の電位と第２の電位との間で第１の送信器電極を駆動することによって、前記第１の送信器電極を用いて送信器信号を送信するステップであって、前記第１の電位と前記第２の電位との間で前記第１の送信器電極を駆動するステップが、電子蓄積装置を用いて前記第１の送信器電極を前記第１の電位と第２の電位との間にある中間電位に駆動するステップ及びドライバを用いて前記第１の送信器電極を前記中間電位から前記第２の電位に駆動するステップを含む、前記ステップと、
受信器電極を用いて、前記第１の送信器電極信号に対応する影響を含む、結果として生じた信号を受信するステップと、
前記結果として生じた信号に基づいて前記入力装置の感知領域における入力物体の位置情報を求めるステップと
を含む、方法。
【請求項１９】
前記電子蓄積装置がコンデンサを備える、請求項１８に記載の方法。
【請求項２０】
前記電子蓄積装置が、第２の送信器信号を発するように構成される第２の送信器電極を備え、前記第１の送信器電極を前記中間電位に駆動するステップが、前記第１の送信器電極を前記第２の送信器電極と結合するステップを含む、請求項１８に記載の方法。
【発明の詳細な説明】
【技術分野】
【０００１】
[0001]本発明の実施形態は、一般には、送信器の電力消費を低減させる入力装置、処理システム及び方法に関する。
【背景技術】
【０００２】
[0002]（普通タッチパッド又はタッチ画面とも呼ばれる）タッチセンサ装置は、様々な電子システムで広く使用されている。タッチセンサ装置は、典型的には、容量性、抵抗性、誘導性、光学、音響、又は他の技術を使用して、１つ若しくは複数の指、スタイラス、及び／又は他の物体の存在、位置、並びに／或は動きを判断する高感度の表面である。タッチセンサ装置は、指又は他の物体と共に、電子システムに入力を提供する。例えば、タッチセンサ装置は、ノート型コンピュータなどのコンピュータの入力装置として使用される。
【発明の概要】
【発明が解決しようとする課題】
【０００３】
[0003]様々な実施形態において、タッチセンサ装置は、典型的には、装置の感知領域における入力物体を感知するように構成されたセンサ電極のアレイを含む。センサ電極を動作させるために、アレイ内の各センサ電極は、電源から電力を取り出すバッファアンプなどのドライバ回路を用いて駆動される。そうした方法でセンサ電極のアレイを駆動することは、タッチセンサ装置に電力消費の負担をかける。そうした電力消費の負担は、特にタッチセンサ装置が限られた電源を有する装置である場合は、不利になることがある。さらに、ドライバ回路のサイズは、センサ電極のアレイを駆動するのに必要な電荷の量に基づいており、その結果、必要な電荷の量が多いほどドライバ回路のサイズがより大きくなる。
【０００４】
[0004]したがって、改善された入力装置、処理システム、及びより効率的なメカニズムによってセンサ電極を駆動する方法が必要である。
【課題を解決するための手段】
【０００５】
[0005]本発明の実施形態は、一般に、送信器の電力消費を低減させる入力装置、処理システム、及び方法に関する。本発明の一実施形態は、一般に、入力装置の処理システムを提供する。本処理システムは、第１の電位と第２の電位との間で駆動されたときに第１の送信器信号を発するように構成された第１の送信器電極に結合された、ドライバ回路を備えるドライバモジュールであって、第１の送信器電極を中間電位から第２の電位に駆動するように構成され、中間電位が第１の電位と第２の電位との間にあり、第１の送信器電極が、第１の送信器電極を中間電位に駆動するように構成された電子蓄積装置にさらに結合される、ドライバモジュールを備える。また、本処理システムは、受信器電極に結合され、受信器電極を用いて、結果として生じた信号を受信するように構成された受信器モジュールであって、結果として生じた信号が第１の送信器信号に対応する影響を含む、受信器モジュールと、結果として生じた信号に基づいて入力装置の感知領域における入力物体の位置情報を求めるように構成された決定モジュールとを備える。
【０００６】
[0006]本発明の別の実施形態は、一般に、入力装置を提供する。本入力装置は、第１の電位と第２の電位との間で駆動されたときに第１の送信器信号を発するように構成された第１の送信器電極を備える複数の送信器電極と、第１の受信器電極を備える複数の受信器電極と、第１の送信器電極に結合され、第１の送信器電極を第１の電位と第２の電位との間にある中間電位に駆動するように構成された電子蓄積装置と、中間電位と第２の電位との間で第１の送信器電極を駆動し、第１の受信器電極を用いて、第１の送信器電極信号に対応する影響を含む、結果として生じた信号を受信し、結果として生じた信号に基づいて入力装置の感知領域における入力物体の位置情報を求めるように構成された、第１の送信器電極及び第１の受信器電極に結合された処理システムとを備える。
【０００７】
[0007]本発明の別の実施形態は、一般に、入力装置を動作させる方法を提供する。本方法は、第１の電位と第２の電位との間で第１の送信器電極を駆動することによって、第１の送信器電極を用いて送信器信号を送信するステップであって、第１の電位と第２の電位との間で第１の送信器電極を駆動するステップが、電子蓄積装置を用いて第１の送信器電極を第１の電位と第２の電位との間にある中間電位に駆動し、ドライバを用いて第１の送信器電極を中間電位から第２の電位に駆動するステップと、受信器電極を用いて、第１の送信器電極信号に対応する影響を含む、結果として生じた信号を受信するステップと、結果として生じた信号に基づいて入力装置の感知領域における入力物体の位置情報を求めるステップとを含む。
【０００８】
[0008]本発明の上記の特徴が詳細に理解できるように、上で簡潔に要約した本発明についてのより詳細な説明を実施形態を参照することによって行なうことが可能であり、その一部が添付図面で示される。しかし、添付図面は、本発明の典型的な実施形態のみを示し、したがって、本発明の範囲を限定していると考えられるべきではないことに留意されたく、その理由は本発明が他の等しく効果的な実施形態を受け入れることができるためである。
【図面の簡単な説明】
【０００９】
【図１】本発明の実施形態による、例示的な入力装置の概略ブロック図である。
【図２】本明細書に記載された実施形態の１つ又は複数による、処理システムに結合されたセンサモジュールの一例を示す概略平面図である。
【図３】本明細書に記載された１つ又は複数の実施形態による、図２のドライバモジュールの構成を示す概略図である。
【図４】本明細書に記載された１つ又は複数の実施形態による、図２のドライバモジュールの構成を示す概略図である。
【図５】本明細書に記載された１つ又は複数の実施形態による、図２のドライバモジュールの構成を示す概略図である。
【図６】本明細書に記載された１つ又は複数の実施形態による、図２のドライバモジュールの構成を示す概略図である。
【図７】本発明の一実施形態による、送信器電極を第２の電位に駆動する例示的なステップを示す流れ図である。
【図８】本発明の一実施形態による、図２のドライバモジュールの構成を示す概略図である。
【発明を実施するための形態】
【００１０】
[0017]理解を容易にするために、可能な場合は、同一の参照数字を用いて各図に共通の同一の要素を指定した。一実施形態において開示された要素が明確な引用なしに他の実施形態で有益に利用されてもよいことが企図される。
【００１１】
[0018]以下の詳細な説明は、本質的に単なる例示であり、本発明又は本発明の応用及び使用を限定することは意図されていない。さらに、先の技術分野、背景、概要、又は以下の詳細な説明において提示される、いかなる明示される若しくは暗示される理論によっても縛られることは意図されていない。
【００１２】
[0019]本発明の実施形態は、一般に、入力装置内部に含まれるセンサ電極を駆動するのに必要な電力消費を低減させることが可能な方法及びシステムを提供する。入力装置の電力消費は、ドライバモジュールがセンサ電極を第２の電位までの残りの量だけ駆動する前に、センサ電極を部分的に駆動する中間の電子蓄積装置を設けることによって低減される。
【００１３】
[0020]ここで図に目を向けると、図１は、本発明の実施形態による、例示的な入力装置１００のブロック図である。入力装置１００は、電子システム（図示せず）に入力を提供するように構成されてもよい。本文書で使用されるように、用語「電子システム」（又は「電子装置」）は、電子的に情報を処理することができる任意のシステムを幅広く指す。電子システムの一部の非限定的な例には、すべてのサイズ及び形状のパーソナルコンピュータ、例えばデスクトップコンピュータ、ラップトップコンピュータ、ネットブックコンピュータ、タブレット、ウェブブラウザ、電子ブックリーダ、及び携帯情報端末（ＰＤＡ）が含まれる。さらなる例示的な電子システムには、複合入力装置、例えば入力装置１００を含む物理的なキーボード、及び個別のジョイスティック又はキースイッチが含まれる。さらなる例示的な電子システムには、周辺装置、例えば（遠隔制御装置及びマウスを含む）データ入力装置、並びに（表示画面及びプリンタを含む）データ出力装置が含まれる。他の例には、遠隔端末装置、キオスク、及びテレビゲーム機（例えば、ビデオゲーム機、携帯ゲーム機など）が含まれる。他の例には、（スマートフォンなどの携帯電話を含む）通信装置、並びに（記録装置、編集機、及びテレビ、セットトップボックス、音楽再生装置、ディジタルフォトフレーム、デジタルカメラなどの再生装置を含む）メディア装置が含まれる。さらに、電子システムは、入力装置に対するホスト又はスレーブであってもよい。
【００１４】
[0021]入力装置１００は、電子システムの物理的な一部分として実装されてもよく、又は電子システムと物理的に分離されていてもよい。必要に応じて、入力装置１００は、以下の、すなわち、バス、ネットワーク、及び他の有線若しくは無線相互接続のうちのいずれか１つ又は複数を使用して電子システムの一部分と通信することができる。例として、パラレル通信、又はシリアル通信、例えばＩ２Ｃ、ＳＰＩ、ＰＳ／２、ユニバーサルシリアルバス（ＵＳＢ）、ブルートゥース、ＲＦ、及びＩＲＤＡが含まれる。
【００１５】
[0022]図１では、入力装置１００は、感知領域１２０における１つ又は複数の入力物体１４０によってもたらされる入力を感知するように構成された（しばしば「タッチパッド」又は「タッチセンサ装置」とも呼ばれる）近接センサ装置として示されている。例示的な入力物体には、図１に示すように、指及びスタイラスが含まれる。
【００１６】
[0023]感知領域１２０は、入力装置１００がユーザ入力（例えば、１つ又は複数の入力物体１４０によってもたらされるユーザ入力）を検出することができる、入力装置１００上方の、回りの、内の、及び／又は近くのすべての空間を包含する。特定の感知領域のサイズ、形状、及び位置は、実施形態ごとに幅広く変わることがある。一部の実施形態において、感知領域１２０は、信号対雑音比によって十分に正確な物体検出ができなくなるまで、入力装置１００の表面から１つ又は複数の方向に空間内へと広がる。この感知領域１２０が特定の方向に広がる距離は、様々な実施形態において、１ミリメートル未満、数ミリメートル、数センチメートル、又はそれを超えるオーダであってもよく、使用される感知技術のタイプ及び所望の精度に応じて著しく変わりうる。したがって、一部の実施形態は、入力装置１００のいかなる表面とも非接触、入力装置１００の入力表面（例えば、タッチ表面）との接触、ある量の印加される力若しくは圧力と連動した入力装置１００の入力表面との接触、及び／又はそれらの組み合わせを含む入力を感知する。様々な実施形態において、入力表面は、センサ電極が存在するケーシングの表面、センサ電極又は任意のケーシング上に施された表面シートなどによって提供されてもよい。一部の実施形態において、感知領域１２０は、入力装置１００の入力表面に投影されたとき矩形形状を有する。
【００１７】
[0024]入力装置１００は、感知領域１２０のユーザ入力を検出するセンサ構成要素及び感知技術の任意の組み合わせを利用することができる。入力装置１００は、ユーザ入力を検出する１つ又は複数の感知素子を備える。いくつかの非限定的な例として、入力装置１００は、容量性、エラスティブ（ｅｌａｓｔｉｖｅ）、抵抗性、誘導性、磁気、音響、超音波、及び／又は光学技法を使用することができる。
【００１８】
[0025]一部の実施態様は、一次元、二次元、三次元、又はより高次元の空間にまたがる画像を提供するように構成される。一部の実施態様は、特定の軸又は面に沿った入力の投影を提供するように構成される。
【００１９】
[0026]入力装置１００の一部の抵抗性の実施態様において、可撓性及び導電性の第１の層は、１つ又は複数のスペーサ素子によって導電性の第２の層から分離される。動作中に、各層を横切って１つ又は複数の電圧勾配が生成される。可撓性の第１の層を押圧することによって、層を十分にそらして各層間の電気的接触を生成し、結果として各層間の接触点（複数可）を表す電圧出力が得られる。これらの電圧出力を用いて位置情報を求めることができる。
【００２０】
[0027]入力装置１００の一部の誘導性の実施態様において、１つ又は複数の感知素子は、共振コイル又はコイル対によって誘導されるループ電流を拾い上げる。次いで、電流の振幅、位相、及び周波数のある組み合わせを用いて位置情報を求めることができる。
【００２１】
[0028]入力装置１００の一部の容量性の実施態様において、電圧又は電流を印加して電界を生成する。近くの入力物体によって電界の変化が引き起こされ、電圧、電流などの変化として検出することができる容量結合に検出可能な変化が生成される。
【００２２】
[0029]一部の容量性の実施態様は、容量性感知素子のアレイ、又は他の規則的な若しくは不規則なパターンを利用して電界を生成する。一部の容量性の実施態様において、別々の感知素子を互いにオーミックに短絡して、より大きなセンサ電極を形成することができる。一部の容量性の実施態様は、一様に抵抗性であってもよい抵抗性のシートを利用する。
【００２３】
[0030]一部の容量性の実施態様は、センサ電極と入力物体との間の容量結合の変化に基づく「自己キャパシタンス」（又は「絶対キャパシタンス」）感知方法を利用する。様々な実施形態において、センサ電極近くの入力物体は、センサ電極近くの電界を変え、したがって測定される容量結合を変化させる。１つの実施態様において、絶対キャパシタンス感知方法は、センサ電極を基準電圧（例えば、システムグランド）に対して変調することによって、及びセンサ電極と入力物体との間の容量結合を検出することによって動作する。
【００２４】
[0031]一部の容量性の実施態様は、センサ電極間の容量結合の変化に基づく「相互キャパシタンス」（又は「トランスキャパシタンス」）感知方法を利用する。様々な実施形態において、センサ電極近くの入力物体は、センサ電極間の電界を変え、したがって測定される容量結合を変化させる。一実施態様において、トランス容量性感知方法は、１つ又は複数の送信器センサ電極（「送信器電極」若しくは「送信器」でもある）と１つ又は複数の受信器センサ電極（「受信器電極」若しくは「受信器」でもある）との間の容量結合を検出することによって動作する。送信器センサ電極は、基準電圧（例えば、システムグランド）に対して変調され、送信器信号を送信することができる。受信器センサ電極は、基準電圧に対して実質的に一定に保持され、結果として生じた信号の受信を容易にすることができる。結果として生じた信号は、１つ又は複数の送信器信号、及び／又は環境上の妨害（例えば、他の電磁信号）の１つ又は複数の発生源に対応する影響（複数可）を含むことができる。センサ電極は、専用の送信器又は受信器であってもよく、或は送信及び受信の両方を行なうように構成されてもよい。
【００２５】
[0032]図１では、処理システム１１０が入力装置１００の一部分として示されている。処理システム１１０は、感知領域１２０の入力を検出する入力装置１００のハードウェアを動作させるように構成される。処理システム１１０は、１つ若しくは複数の集積回路（ＩＣ）及び／又は他の回路構成要素の一部分或はすべてを備える。例えば、相互キャパシタンスセンサ装置用の処理システムは、送信器センサ電極を用いて信号を送信するように構成された送信器回路、及び／又は受信器センサ電極を用いて信号を受信するように構成された受信器回路を備えることができる）。一部の実施形態において、処理システム１１０は、ファームウェアコード、ソフトウェアコードなどの電子的に読取り可能な命令も備える。一部の実施形態において、処理システム１１０を構成する構成要素は、まとまって、例えば入力装置１００の感知素子（複数可）の近くに位置する。他の実施形態において、処理システム１１０の構成要素は、入力装置１００の感知素子（複数可）に近い１つ又は複数の構成要素、及び他の場所にある１つ又は複数の構成要素と物理的に離れている。例えば、入力装置１００は、デスクトップコンピュータに結合された周辺装置であってもよく、処理システム１１０は、デスクトップコンピュータの中央処理装置、及び中央処理装置とは別の（おそらくは関連付けられたファームウェアを有する）１つ又は複数のＩＣ上で動くように構成されたソフトウェアを備えることができる。別の例として、入力装置１００は、電話機と物理的に一体化されてもよく、処理システム１１０は、電話機のメインプロセッサの一部分である回路及びファームウェアを備えてもよい。一部の実施形態において、処理システム１１０は、入力装置１００の実施に専用である。他の実施形態において、処理システム１１０は、例えば、表示画面の動作、触覚アクチュエータの駆動などの他の機能も行なう。
【００２６】
[0033]処理システム１１０は、処理システム１１０の異なる機能を扱う１組のモジュールとして実施されてもよい。各モジュールは、処理システム１１０、ファームウェア、ソフトウェア、又はそれらの組み合わせの一部分である回路を備えることができる。様々な実施形態において、モジュールの異なる組み合わせが使用されてもよい。例示的なモジュールには、センサ電極及び表示画面などのハードウェアを動作させるハードウェア動作モジュール、センサ信号及び位置情報などのデータを処理するデータ処理モジュール、並びに情報を報告する報告モジュールが含まれる。さらなる例示的なモジュールには、感知素子（複数可）を動作させて入力を検出するように構成されたセンサ動作モジュール、モード変更ジェスチャなどのジェスチャを識別するように構成された識別モジュール、及び動作モードを変更するモード変更モジュールが含まれる。
【００２７】
[0034]一部の実施形態において、処理システム１１０は、直接１つ又は複数の動作を引き起こすことによって感知領域１２０のユーザ入力（又はユーザ入力がないこと）に応答する。例示的な動作には、動作モードの変更、並びにＧＵＩ動作、例えば、カーソル移動、選択、メニュー操作、及び他の機能が含まれる。一部の実施形態において、処理システム１１０は、電子システムのある一部分に（例えば、処理システム１１０とは別の電子システムの中央処理システムに、そうした別の中央処理システムが存在する場合は）入力（又は入力がないこと）に関する情報を提供する。一部の実施形態において、電子システムのある一部分は、処理システム１１０から受信した情報を処理して、モード変更動作及びＧＵＩ動作を含む、全範囲の動作を容易にするなど、ユーザ入力に対して作用する。
【００２８】
[0035]例えば、一部の実施形態において、処理システム１１０は、入力装置１００の感知素子（複数可）を動作させて、感知領域１２０に入力があること（又は入力がないこと）を示す電気信号を生成する。処理システム１１０は、電子システムに提供される情報を生成する際に、電気信号に対していかなる適切な量の処理も行なうことができる。例えば、処理システム１１０は、センサ電極から得られたアナログ電気信号をディジタル化してもよい。別の例として、処理システム１１０は、フィルタリング又は他の信号調整を行なうことができる。さらに別の例として、処理システム１１０は、情報が電気信号と基準線との差を反映するように基準線を差し引くことができ、又はその他の方法で基準線を計算に入れることができる。さらなる例として、処理システム１１０は、位置情報を求める、入力をコマンドとして認識する、筆跡を認識するなどができる。
【００２９】
[0036]本明細書で使用されるような「位置情報」は、絶対的位置、相対的地位、速度、加速度、及び他のタイプの空間的情報を幅広く包含する。例示的な「ゼロ次元の」位置情報には、近くの／遠くの、又は接触／非接触情報が含まれる。例示的な「一次元の」位置情報には、軸に沿った位置が含まれる。例示的な「二次元の」位置情報には、面内の動きが含まれる。例示的な「三次元の」位置情報には、空間内の瞬間的な又は平均的な速度が含まれる。さらなる例には、空間的情報の他の表現が含まれる。また、例えば、ある時間にわたって位置、動き、若しくは瞬間的な速度を追跡する履歴データを含む、１つ又は複数のタイプの位置情報に関する履歴データを求め、及び／又は保存することができる。
【００３０】
[0037]一部の実施形態において、入力装置１００は、処理システム１１０によって、又は他のなんらかの処理システムによって動作する追加の入力構成要素を用いて実施される。これらの追加の入力構成要素は、感知領域１２０の入力に対する冗長な機能性、又は他のなんらかの機能性を提供することができる。図１は、入力装置１００を使用して、アイテムの選択を容易にするために使用することができる、感知領域１２０近くのボタン１３０を示す。他のタイプの追加の入力構成要素には、スライダ、ボール、ホイール、スイッチなどが含まれる。逆に、一部の実施形態において、入力装置１００は、他の入力構成要素を用いることなく実施されてもよい。
【００３１】
[0038]一部の実施形態において、入力装置１００は、タッチ画面インタフェースを備え、感知領域１２０は、少なくとも表示画面の活性領域の一部と重なる。例えば、入力装置１００は、表示画面を覆う実質的に透明なセンサ電極を備え、関連付けられた電子システムに対するタッチ画面インタフェースを提供することができる。表示画面は、ユーザにビジュアルインタフェースを表示することができる任意のタイプの動的表示であることができ、任意のタイプの発光ダイオード（ＬＥＤ）、有機ＬＥＤ（ＯＬＥＤ）、陰極線管（ＣＲＴ）、液晶表示装置（ＬＣＤ）、プラズマ、エレクトロルミネセンス（ＥＬ）、又は他の表示技術を含んでもよい。入力装置１００及び表示画面は、物理的素子を共有してもよい。例えば、一部の実施形態は、表示及び感知のために同じ電気部品の一部を利用することができる。別の例として、表示画面は、処理システム１１０によって一部又は全体が動作してもよい。
【００３２】
[0039]本発明の多くの実施形態が全面的に機能する装置の文脈において説明されているが、本発明のメカニズムは、様々な形態のプログラム製品（例えば、ソフトウェア）として配布されうることを理解されたい。例えば、本発明のメカニズムは、電子プロセッサによって読取り可能な情報担持媒体（例えば、処理システム１１０によって読取り可能な、非一時的なコンピュータ読取り可能及び／又は記録可能／書き込み可能情報担持媒体）上のソフトウェアプログラムとして実施及び配布されてもよい。さらに、本発明の実施形態は、それと同時に配布を行なうために使用される特定のタイプの媒体とは無関係に適用される。非一時的な及び電子的に読取り可能な媒体の例には、様々なディスク、メモリスティック、メモリーカード、メモリモジュールなどが含まれる。電子的に読取り可能な媒体は、フラッシュ、光学、磁気、ホログラフィ、又は他の任意の記憶技術に基づいてもよい。
【００３３】
[0040]図２は、処理システム１１０に結合された複数のセンサ電極（すなわち、送信器電極３６０及び受信器電極３７０）を備える入力装置１００の概略平面図である。図２では、処理システム１１０は、受信器電極３７０と結合され、受信器電極３７０から結果として生じた信号を受信するように構成されている。また、処理システム１１０は、送信器電極３６０と結合され、感知領域１２０における入力物体を感知することが可能な方法で送信器電極３６０を動作させるようにも構成されている。
【００３４】
[0041]図２に示す実施形態において、感知電極は、単純な矩形のパターンに配置されている。一実施形態において、図示するように、感知素子のパターンは、複数の送信器電極３６０（例えば、送信器電極３６０−１、３６０−２、３６０−３など）、及び複数の送信器電極３６０上に配置される複数の受信器電極３７０（例えば、受信器電極３７０−１、３７０−２、３７０−３など）を備える。様々な他の実施形態において、複数の送信器電極３６０及び複数の受信器電極３７０は、基板の同じ側に配置されてもよい。さらに、複数の送信器電極３６０及び複数の受信器電極３７０が矩形として示されているが、他の実施形態において、センサ電極は、様々な他の形状及びサイズを有することができる。さらに、様々な実施形態において、複数の送信器電極３６０及び複数の受信器電極３７０は、サイズ又は形状の少なくとも１つが異なってもよい。さらに他の実施形態において、複数の送信器電極３６０及び複数の受信器電極３７０は、同様のサイズであってもよい。別の実施形態において、複数の送信器電極３６０のうちの少なくとも１つの送信器電極は、複数の送信器電極３６０のうちの少なくとも第２の送信器電極に対してサイズ及び形状の少なくとも１つが異なる。別の実施形態において、複数の受信器電極３７０のうちの少なくとも１つの受信器電極は、複数の受信器電極３６０のうちの少なくとも第２の受信器電極に対してサイズ及び形状の少なくとも１つが異なる。
【００３５】
[0042]送信器電極３６０及び受信器電極３７０は、典型的には互いにオーミック絶縁されている。すなわち、１つ又は複数の絶縁体が送信器電極３６０及び受信器電極３７０を分離し、それらが互いに電気的に短絡しないようにする。一部の実施形態において、送信器電極３６０及び受信器電極３７０は、交差領域においてそれらの間に配置された電気的な絶縁材料によって分離される。そうした構成において、送信器電極３６０及び／又は受信器電極３７０は、同じ電極の異なる部分をジャンパー接続して形成されてもよい。一部の実施形態において、送信器電極３６０及び受信器電極３７０は、電気的な絶縁材料の１つ又は複数の層によって分離される。他の一部の実施形態において、送信器電極３６０及び受信器電極３７０は、１つ又は複数の基板によって分離され、例えば、それらは、同じ基板（例えば、カラーフィルタガラス）の両側に、又は互いに積層されている異なる基板に配置されてもよい。他の実施形態において、送信器電極３６０及び受信器電極３７０は、単一の層に配置され、それにより、それらは、基板の同様の側に配置される。
【００３６】
[0043]送信器電極３６０と受信器電極３７０との間の局所的な容量結合の領域は、「容量性ピクセル」と名付けられることがある。送信器電極３６０と受信器電極３７０との間の容量結合は、送信器電極３６０及び受信器電極３７０に関連付けられた感知領域１２０における入力物体１４０の接近及び動きと共に変化する。
【００３７】
[0044]一部の実施形態において、センサパターンは、これらの容量結合を求めるために「走査」される。すなわち、送信器電極３６０を駆動して送信器信号を送信する。送信器電極３６０は、一回につき１つの送信器電極が送信する、又は複数の送信器電極が同時に送信するように動作してもよい。複数の送信器電極が同時に送信する場合、これらの複数の送信器電極は、同じ送信器信号を送信し、実効的により大きな送信器電極を実効的に生成することができ、又はこれらの複数の送信器電極は、異なる送信器信号を送信してもよい。例えば、複数の送信器電極は、１つ又は複数のコーディングスキームにより異なる送信器信号を送信することができ、このコーディングスキームによって、受信器電極３７０の結果として生じた信号に対する、複数の送信器電極の複合的な影響を個別に求めることができる。受信器センサ電極３７０は、結果として生じた信号を取得するために単独で又は複合的に動作してもよい。結果として生じた信号は、容量性ピクセルにおける容量結合の測定値を求めるために処理システム１１０によって使用されてもよく、この測定値を用いて、上で論じたように、入力物体が存在するかどうかを判断し、その位置情報を求める。
【００３８】
[0045]一部の入力装置の実施形態において、送信器電極３６０及び／又は受信器電極３７０は、関連付けられた表示画面の基板に配置される。例えば、送信器電極３６０及び／又は受信器電極３７０は、偏光子、カラーフィルタ基板、又はＬＣＤのガラスシートに配置されてもよい。具体的な例として、送信器電極３６０は、ＬＣＤのＴＦＴ（薄膜トランジスタ）基板に配置されてもよく、表示画面の表示動作において使用されても、また使用されなくてもよい。別の例として、受信器電極３７０は、ＬＣＤガラスシート上のカラーフィルタ基板、ＬＣＤガラスシート一面に配置された保護材料、レンズガラスなどに配置されてもよい。
【００３９】
[0046]処理システム１１０は、ドライバモジュール４０４、受信器モジュール４０６、及び決定モジュール４０８を備える。一実施形態において、処理システム１１０は、送信器電極３６０及び受信器電極３７０に結合される。
【００４０】
[0047]ドライバモジュール４０４は、１つ又は複数の電位を有する送信器電極を駆動するように構成されたソフトウェア及び／又はハードウェア（例えば、ドライバ回路）の任意の組み合わせを含む。ドライバモジュール４０４は、任意の適切な方法で送信器電極３６０を動作させるように構成されてもよく、それらの例について本明細書で説明する。例えば、ドライバモジュール４０４は、送信器電極を駆動する、送信器信号を送信する、送信器電極を基準電位に（例えば、Ｖ−ｃｏｍ電位、システムグランドなどに）保持する、又は送信器電極を高インピーダンスに保持するように構成されてもよい。一部の実施形態において、ドライバモジュール４０４は、１つ又は複数の送信器電極３６０を第１の電位から第２の電位に駆動する。代替の実施形態において、追加の電位源は、送信器電極３６０を送信器電極３６０の第１の電位と第２の電位との間にある中間電位に駆動する。次いで、ドライバモジュール４０４は、送信器電極３６０を中間電位から第２の電位に駆動する。
【００４１】
[0048]受信器モジュール４０６は、受信器電極を用いて、結果として生じた１つ又は複数の信号を受信するように構成されたソフトウェア及び／又はハードウェアの任意の組み合わせを含む。一実施形態において、受信器モジュール４０６は、受信器電極３７０を用いて、結果として生じた信号を受信するように構成される。一部の構成において、受信器モジュール４０６は、環境上の妨害の量を求めるために、複数の送信器電極３６０によって送信器信号が送信されていないときに、信号を取得及び／又は受信するように構成される。
【００４２】
[0049]決定モジュール４０８は、受信器モジュール４０６によって受信される、結果として生じた信号（複数可）に基づいて、感知領域１２０の少なくとも１つの入力物体の位置情報を求めるように構成されたハードウェア及び／又はソフトウェアの任意の組み合わせを含む。
【００４３】
[0050]図３は、ドライバモジュール４０４及び電子蓄積装置５０２が、本明細書に記載された１つ又は複数の実施形態による、送信器電極の１つ３６０−１に結合された概略図を示す。一実施形態において、ドライバモジュール４０４は、第１の送信器電極に結合され、第１の送信器電極を中間電位から第２の電位に駆動するように構成される。ドライバモジュール４０４は、第１の送信器電極を中間電位から第１の電位に駆動するようにさらに構成されてもよい。電子蓄積装置５０２は、送信器電極に結合され、送信器電極を第１の電位と第２の電位との間の中間電位に駆動するように構成される。一実施形態において、中間電圧は、システムグランド、Ｖ−ｃｏｍ、又は入力装置１００の基準電圧であってもよい。
【００４４】
[0051]図４の実施形態において、電子蓄積装置５０２は、コンデンサ５０８を備え、電子蓄積装置５０２及びドライバモジュール４０４は、送信器電極に選択的に結合される。一実施形態において、スイッチングメカニズム５０６は、ドライバモジュール４０４及び電子蓄積装置５０２のコンデンサ５０８を送信器電極に選択的に結合するように構成される。
【００４５】
[0052]一実施形態において、ドライバモジュール４０４は、電位源に結合されたレギュレータを備える。代替の実施形態において、ドライバモジュール４０４は、電位源に結合された（例えば、ＤＡＣ制御された）アンプ又はバッファを備える。さらなる実施形態において、ドライバモジュール４０４は、電源、電圧ブースト、若しくはインバータ、及び／又はバッファアンプを備える。当業者は、ドライバモジュール４０４が送信器電極３６０−１を駆動するように構成された任意のその他のドライバ回路を備えてもよいことを認識するであろう。コンデンサ５０８は、例えば、ドライバモジュール４０４又は他の電荷源によって所定の電荷に充電されるように構成される。さらに、コンデンサ５０８は、送信器電極３６０を、送信器電極３６０の第１の電位と第２の電位との間にある中間電位に駆動するように構成される。スイッチングメカニズム５０６は、ある状態では、送信器電極３６０−１をコンデンサ５０８と結合し、別の状態では、送信器電極３６０−１をドライバモジュール５０２と結合するように構成される。一実施形態において、スイッチングメカニズム５０６は、複数のスイッチを備える。別の実施形態において、スイッチングメカニズムは、少なくとも１つの送信器を備える。
【００４６】
[0053]動作において、送信器電極３６０−１が第１の電位から第２の電位に駆動されることになる場合、スイッチングメカニズム５０６は、まず送信器電極３６０−１をコンデンサ５０８と結合する。次いで、コンデンサ５０８が放電して、送信器電極３６０を第１の電位から第１の電位３６０と第２の電位との間にある中間電位に駆動する。次に、スイッチングメカニズム５０６は、送信器電極３６０−１をドライバモジュール４０４と結合する。次いで、ドライバモジュール４０４は、送信器電極３６０−１を中間電位から第２の電位に駆動する。ドライバモジュール４０４は、コンデンサ５０８が送信器電極３６０−１を中間電位に駆動するため、送信器電極３６０−１を部分的に駆動するだけでよいのが有益である。そうした実施形態において、ドライバモジュール４０４は、送信器電極３６０−１を第１の電位から第２の電位までの全範囲を駆動しないため、入力装置１００全体にわたって電力が節約される。一実施形態において、中間電位と第１の電位間の電圧差は、中間電位と第２の電位間の電圧差よりも小さい。別の実施形態において、中間電位と第２の電位間の電圧差は、中間電位と第１の電位間の電圧差よりも小さい。別の実施形態において、中間電位と第２の電位間の電圧差は、実質的に中間電位と第１の電位間の電圧差と同じである。
【００４７】
[0054]送信器電極３６０−１は、低電位から高電位、又は高電位から低電位に駆動されうる。送信器電極３６０−１が低電位から高電位に駆動される場合は、コンデンサ５０８は、送信器電極３６０−１が低電位から中間電位に駆動されるときに所定の電荷から放電する。送信器電極３６０−１が高電位から低電位に駆動される場合は、コンデンサ５０８は、送信器電極３６０−１が高電位から中間電位に駆動されるときに送信器電極３６０−１によって充電される。次いで、コンデンサ５０８の回復された電荷を用いて、送信器電極３６０−１（又は他の送信器電極３６０）を低電位から中間電位に戻るように駆動することができ、したがって入力装置１００によって利用される電力の総量を保存することができる。
【００４８】
[0055]図５は、本明細書に記載された１つ又は複数の実施形態による、送信器電極３６０−１、３６０−２に結合された処理システム１１０の別の構成を示す概略図である。ある実施形態において、処理システム１１０は、ドライバモジュール４０４、スイッチングメカニズム６０６、スイッチングメカニズム６０８、及び電子蓄積装置５０２（例えば、コンデンサ６１０）を含む。
【００４９】
[0056]ドライバモジュール４０４は、送信器電極３６０−１を駆動するように、及び送信器電極３６０−２を駆動するように構成される。一実施形態において、電子蓄積装置５０２は、第１及び第２の送信器電極を駆動するように、及び所定の電荷に充電されるように構成されたキャパシタンス６１０（例えば、共有のコンデンサ）を備える。本実施形態において、コンデンサ６１０は、送信器電極３６０−１及び送信器電極３６０−２の両方を中間電位に駆動するように構成される。処理システム１１０は、ある状態では、送信器電極３６０−１をコンデンサ６１０と結合するように、及び別の状態では、送信器電極３６０−１をドライバモジュール４０４と結合するように構成されたスイッチングメカニズム６０６をさらに備えることができる。また、スイッチングメカニズム６０８は、ある状態では、送信器電極３６０−２をコンデンサ６１０と結合するように、及び別の状態では、送信器電極３６０−２をドライバモジュール４０４と結合するように構成される。
【００５０】
[0057]一実施形態において、送信器電極３６０−１及び送信器電極３６０−２は、同時に駆動され、その場合送信器電極３６０−１が高電位から低電位に駆動され、送信器電極３６０−２が低電位から高電位に駆動される。動作において、スイッチングメカニズム６０６は、送信器電極３６０−１をコンデンサ６１０と結合する。送信器電極３６０−１からの電荷は、コンデンサ６１０を中間電位に充電し、したがって、送信器電極３６０−１を高電位から中間電位に駆動する。次いで、スイッチングメカニズム６０６は、送信器電極３６０−１をドライバモジュール４０４に結合し、このドライバモジュール４０４が送信器電極３６０−１を中間電位から低電位に駆動する。コンデンサ６１０は、送信器電極３６０−２を駆動するために充電される。スイッチングメカニズム６０８は、同時に、コンデンサ６１０を送信器電極３６０−２に結合して、送信器電極３６０−２を低電位から中間電位に駆動することができる。一旦送信器電極３６０−２が中間電位に充電されると、スイッチングメカニズム６０６は、送信器電極３６０−２をドライバモジュール４０４と結合する。次いで、ドライバモジュール４０４は、送信器電極３６０−２を中間電位から高電位に駆動する。再び、コンデンサ６１０が送信器電極３６０−１及び送信器電極３６０−２を中間電位に駆動するため、ドライバモジュール４０４は、送信器電極３６０−１及び送信器電極３６０−２を部分的に駆動し、それによって、入力装置１００の消費電力が低減される。一部の実施形態において、電子蓄積装置５０２を用いて、送信器電極を中間電圧に一方向にのみ（例えば、高から低に、又は低から高に）遷移させることができる。
【００５１】
[0058]また、上記の技法は、３つ以上の送信器電極を同時に駆動するように実施されてもよい。例えば、４つの送信器電極が同時に駆動されてもよく、その場合２つの送信器電極が低電位から高電位に駆動され、２つの送信器電極が高電位から低電位に駆動される。各送信器電極は、まず充電されたコンデンサによって中間電位に駆動され、次いでドライバモジュールによって第２の電位に駆動される。ある実施形態において、コンデンサは、複数の送信器電極に対して共有されてもよい。そうした動作は、典型的には２つの送信器電極を直接駆動するのに必要となる４つの送信器電極に対して同じピーク電流を利用する。その結果、最大半分の電力を節約することができる。
【００５２】
[0059]加えて、上記の技法は、奇数の送信器電極を用いて実施されてもよい。そうした実施態様においては、送信器電極を遷移させるために比較的大きなコンデンサ（例えば、外部コンデンサ）及び／又はより長い期間（例えば、フレーム）が使用されてもよく、それによりコンデンサの電位が比較的一定に保たれる。
【００５３】
[0060]図６は、本明細書に記載された１つ又は複数の実施形態による、送信器電極３６０−１、３６０−２に結合されたドライバモジュール４０４のさらに別の構成を示す概略図である。図示するように、処理システム１１０は、ドライバモジュール４０４、スイッチングメカニズム７０６、スイッチングメカニズム７０８、及び短絡板７１０を含む。本実施形態において、電子蓄積装置５０２は、送信器電極３６０を備える。特に、送信器電極３６０−１に存在する電荷が送信器電極３６０−２に放電され、又はその逆が行われ、それにより、送信器電極３６０−１、３６０−２が、送信器電極に以前存在していた高電位と低電位との間にある中間電位を取得する。
【００５４】
[0061]動作において、スイッチングメカニズム７０６及びスイッチングメカニズム７０８は、短絡板７１０によって送信器電極３６０−１及び送信器電極３６０−２を互いに同時に結合する。送信器電極３６０−１が高電位に充電されている場合、送信器電極３６０−１の電荷の一部は、短絡板７１０を通って送信器電極３６０−２に流れ、送信器電極３６０−２を中間電位に充電する。スイッチングメカニズム７０６は、続いてドライバモジュール４０４を送信器電極３６０−１に結合する。次いで、ドライバモジュール４０４は、送信器電極３６０−１を中間電位から低電位に駆動する。また、スイッチングメカニズム７０８は、ドライバモジュール４０４を送信器電極３６０−２に結合する。次いで、ドライバモジュール４０４は、送信器電極３６０−２を中間電位から高電位に駆動する。同様に、送信器電極３６０−２が高電位に充電され、送信器電極３６０−１が低電位に充電されている場合、送信器電極３６０−２の電荷の一部は、短絡板７１０を使用して送信器電極３６０−１に送られ、送信器電極３６０−１及び３６０−２を中間電位に充電する。スイッチングメカニズム７０６は、続いてドライバモジュール４０４を送信器電極３６０−１に結合する。次いで、ドライバモジュール４０４は、送信器電極３６０−１を中間電位から高電位に駆動する。また、スイッチングメカニズム７０８は、ドライバモジュール４０４を送信器電極３６０−２に結合する。次いで、ドライバモジュール４０４は、送信器電極３６０−２を中間電位から低電位に駆動する。
【００５５】
[0062]図７は、本発明の一実施形態による、送信器電極を指定された電位に駆動する例示的な方法７００を示す流れ図である。本方法ステップは、図１〜６のシステムに関連して記載されているが、当業者は、任意の順番で、又は他の構成で配置された送信器電極を用いて本方法ステップを行なうように構成されたいかなるシステムも本発明の範囲内にあることを理解するであろう。
【００５６】
[0063]方法７００は、ステップ７０２で始まり、電子蓄積装置は、特定のセンサ電極、例えば送信器電極３６０−１を中間電位に駆動する。中間電位は、送信器電極の第１の電位と送信器電極の第２の電位との間に入る電位である。第１の電位は、低電位又は高電位であってもよい。第１の電位が低電位の場合、第２の電位は、相対的により高い電位であってもよい。同様に、第１の電位が高電位の場合、第２の電位は、相対的により低い電位であってもよい。一部の実施形態において、電子蓄積装置は、コンデンサである。代替の実施形態において、電子蓄積装置は、別の送信器電極、例えば送信器電極３６０−２である。ステップ７０４で、ドライバモジュールは、センサ電極を中間電位から第２の電位に駆動する。
【００５７】
[0064]図８は、本発明の一実施形態による、図２のドライバモジュール４０４の構成を示す概略図である。ドライバモジュール４０４は、液晶ディスプレイ（ＬＣＤ）と共に使用されてもよい。様々な実施形態によると、電子蓄積装置５０２（例えば、コンデンサＣ２  ８０２）は、送信器電極３６０−１を第１の電位と第２の電位との間にある中間電位に駆動するために送信器電極３６０−１に結合される。一実施形態において、中間電圧は、システムグランドである。さらに、第１の電圧は、ディスプレイの共通電極のＶ−ｃｏｍ電圧（例えば、−０．５Ｖ）であり、第２の電圧は、正の電源電圧（例えば、５Ｖ）である。
【００５８】
[0065]動作において、システムグランドのキャパシタンス（例えば、Ｃ１、Ｃ２、Ｃ３）は、システムグランドが送信器電極３６０−１に結合されるときに、充電又は放電して送信器電極３６０−１をシステムグランド電圧に駆動する。ドライバモジュール４０４は、送信器電極３６０−１を正の電源電圧に駆動する。その後、送信器電極３６０−１は、システムグランドに結合され、それによって送信器電極３６０−１をシステムグランドに駆動する。次いで、ドライバモジュール４０４は、送信器電極３６０−１をＶ−ｃｏｍ電圧までの残りの範囲を駆動する。
【００５９】
[0066]このように、Ｖ−ｃｏｍを供給するドライバモジュールは、電源８０４（例えば、電池）からの電荷の供給を少なくし、電力の消費を少なくすることができる。システムグランドのキャパシタンスの充電及び放電は、電力を消費しないことに留意されたい。しかし、送信器電極３６０−１を正の電源電圧及びＶ−ｃｏｍ電圧に駆動するとき、電力が消費される。中間電圧を提供するシステムグランドを使用することによって、わざわざ電源８０４からの電荷を使用して送信器電極３６０−１を駆動する必要がない。したがって、送信器電極３６０−１を駆動するのに必要な電力が低減される。
【００６０】
[0067]電子蓄積装置を使用して送信器電極を充電し、それによりドライバモジュールが続いて送信器電極を駆動することによって、結果として入力装置全体にわたって電力が節約されるのが有利である。そうした電力の節約は、特に入力装置が限られた電源によって電力が供給されている場合は、極めて有益である。
【００６１】
[0068]したがって、本明細書に述べた実施形態及び例は、本発明及びその特定の用途について最善の説明を行い、それによって当業者が本発明を行い使用することができるように提示された。しかし、当業者は、前述の記載及び例が単に説明及び例のために提示されたことを認識するであろう。記載された説明は、網羅的であること、又は開示された精密な形態に本発明を限定することは意図されていない。
【００６２】
[0069]上記は、本発明の実施形態を対象としているが、本発明の他の及びさらなる実施形態が本発明の基本的な範囲から逸脱せずに考案されてもよく、本発明の範囲は、以下の特許請求の範囲によって決定される。
【図１】
2015515681.tif 000003
【図２】
2015515681.tif 000004
【図３】
2015515681.tif 000005
【図４】
2015515681.tif 000006
【図５】
2015515681.tif 000007
【図６】
2015515681.tif 000008
【図７】
2015515681.tif 000009
【図８】
2015515681.tif 000010
【国際調査報告】
2015515681.tif 000011
2015515681.tif 000012